(57)【要約】    【課題】  光記憶媒体の容量を倍に増加し、そして、読み書き構成の作製工程の難しさを低減して、作製コストの節約ができる、両面の光記憶媒体の構成を提供する。【解決手段】  本考案は、二つの表面があり、各当該表面上に、夫々、読み書き構成が設置される、両面の光記憶媒体の構成を提供する。本考案は、二つの、夫々、基板の上、下表面上に設置される読み書き構成により、光記憶媒体の容量を倍に増加し、そして、読み書き構成の作製工程の難しさを低減して、作製コストの節約ができる。【選択図】    図４ 
0003109849.tif 000002
【実用新案登録請求の範囲】
【請求項１】
上表面と下表面とがある、基板と、
夫々に、当該基板の当該上表面と当該下表面上に設置される、少なくとも二つの読み書き構成と、があることを特徴とする、両面の光記憶媒体の構成。
【請求項２】
当該基板の当該上表面に位置する読み書き構成は、下から上へ、順に、第１の反射層と、第１の下誘電体層と、第１の記録層と、第１の上誘電体層とが含まれ、当該基板の当該下表面に位置する読み書き構成は、上から下へ、順に、第２の反射層と、第２の下誘電体層と、第２の記録層と、第２の上誘電体層とが含まれる、ことを特徴とする、請求項１に記載する両面の光記憶媒体の構成。
【請求項３】
当該二つの誘電体層の材料は、ゲルマニウム化合物やSiN或いはZnS-SiO2である、ことを特徴とする、請求項２に記載する両面の光記憶媒体の構成。
【請求項４】
当該二つの記録層は、ゲルマニウム(Ge)やインジウム(In)、アンチモン(Sb)、テルル(Te)或いはGeSbTeからなる、ことを特徴とする、請求項２に記載する両面の光記憶媒体の構成。
【請求項５】
当該二つの反射層の材料は、銀合金や銀である、ことを特徴とする、請求項２に記載する両面の光記憶媒体の構成。
【請求項６】
更に、夫々、各当該読み書き構成上に設置され、傷や汚染によるデータ読み書きエラーになることを防止するための二つの透明保護層がある、ことを特徴とする、請求項１に記載する両面の光記憶媒体の構成。
【請求項７】
当該基板の材質は、ポリカーボネートである、ことを特徴とする、請求項１に記載する両面の光記憶媒体の構成。
【請求項８】
当該読み書き構成は、有機染料式や相変化式或いはリードオンリー式である、ことを特徴とする、請求項１に記載する両面の光記憶媒体の構成。
【請求項９】
二つの当該読み書き構成は、同じ型式の読み書き構成であるか、相変化式や有機染料式或いはリードオンリー式から選択した二つの当該読み書き構成である、ことを特徴とする、請求項１に記載する両面の光記憶媒体の構成。
【請求項１０】
当該読み書き構成の読み書き光源は、波長範囲が385nm乃至435nmである、ことを特徴とする、請求項１に記載する両面の光記憶媒体の構成。
【請求項１１】
当該基板の直径は、8センチメートルや12センチメートルである、ことを特徴とする、請求項１に記載する両面の光記憶媒体の構成。
【請求項１２】
当該基板は、二つの透明板を互に粘着することにより形成される、ことを特徴とする、請求項１に記載する両面の光記憶媒体の構成。
【考案の詳細な説明】
【技術分野】
【０００１】
本考案は、光記憶媒体の構成に関し、特に、両面の光記憶媒体の構成に関する。
【背景技術】
【０００２】
時代の進歩や情報産業の発展及びマルチメディアの普及に伴い、記録媒体は、より高い記録密度や記録容量でなければ、今においてのデータストレージのニーズを満足できない。その中、高容量であるＤＶＤ(Digital Versatile Disc、DVD)が重要視され、DVDの容量は、ディスク自身の構成や読み取りデバイスのレーザービームのスポットの大きさ(spot
size)によって、決められ、今において、23.3GBのブルーレイDVD(BD)の光学システムには、波長(λ)が約405nmであるレーザーと開口数(NA)が約0.85であるレーザー集束レンズとが使用されることにより、集束されたレーザービームのスポットの大きさは、直径が約0.5μmになり、そして、ディスクの構成は、片面の単層構成である。
【０００３】
従来のブルーレイである片面の２層読み書き構成の光記憶媒体の構成は、図１のように、基板10があり、当該基板10上には、順に、２層の読み書き層12が設けられ、各読み書き層12には、複数のフィルム層があり、当該フィルム層には、少なくとも、誘電体層と、記録層と、反射層とがある。
【０００４】
上記の従来の光記憶媒体の構成には、当該フィルム層を形成するための過程において、0.1センチメートルのカバー層技術(cover layer)が必要であり、それは、簡単なものではなく、そして、２層の読み書き層12の間に、隔離するためのスペース層(space
layer)が形成しなければならないから、当該光記憶媒体の構成は、より難しくなり、そして、製造コストも高くなり、また、当該光記憶媒体の構成を読み取る時、２層の読み書き層のため、層超えトーク(layer
cross talk)が発生しやすいから、信号の干渉が発生する。また、当該光記憶媒体の構成を読み取るデバイスでは、２層の読み書き層について、読み書きのパワー(write
power)を高くしなければならないから、当該読み書きデバイスは、より先端的な技術を採用しなければならないし、そして、価額も高くなる。
【０００５】
他の従来の光記憶媒体の構成は、図２のような両面単層のDVDであり、レーザービーム源がレッドレイレーザーである波長範囲が635乃至660nmの間であるものに応用され、当該光記憶媒体の構成には、第１の基板14と第２の基板16とがあり、当該第１の基板14と第２の基板16との間には、２層の読み書き層18が設けられ、各読み書き層18には、複数のフィルム層があり、当該フィルム層には、上下誘電体層と、記録層と、反射層とがある。
【０００６】
上記の従来の技術において、波長の比較的に長いレッドレイを使用するため、集束したスポットが比較的に大きくなるから、読み書きの密度が小さくなり、そして、貯蔵容量も小さくなる。
【考案の開示】
【考案が解決しようとする課題】
【０００７】
本考案は、上記の従来の技術の問題点を解決するため、ブルーレイレーザー領域の両面の光記憶媒体の構成に応用され、有効的に従来の欠点を解消できるものを提供する。
【課題を解決するための手段】
【０００８】
本考案の主な目的は、基板の上、下の表面上に、夫々、読み書き構成が設置されることにより、光記憶媒体の容量を倍に増加する、両面の光記憶媒体の構成を提供する。
【０００９】
本考案の他の目的は、従来の片面の２層光記憶媒体と異なり、二つの読み書き構成を、夫々に、基板の上、下の表面上に設置することにより、製造過程において、スペース層を作成する工程を省略して、製造コストを低減する、両面の光記憶媒体の構成を提供する。
【００１０】
本考案の更に他の目的は、読み書き構成が、基板の表面上に設置されるため、レーザー源読み取る時、読み取りの距離が短縮されることにより、レーザー源に、波長が比較的に短い、開口数が比較的に大きい光源が使用され、光記憶媒体のデータ密度が増加される、両面の光記憶媒体の構成を提供する。
【００１１】
本考案に係わる両面の光記憶媒体の構成は、基板が含まれ、当該基板には、夫々、読み書き構成が設けられる上表面と下表面がある。
【００１２】
以下、図面に加えて、具体的な実施例を用いる、詳しく説明することにより、本考案の目的や技術内容、特点及び効果が、より容易に分かる。
【考案を実施するための最良の形態】
【００１３】
本考案に係わる両面の光記憶媒体の構成は、図３と図４のように、ポリカーボネートからなる二つの透明板20が含まれ、当該透明板20の直径は、8センチメートル或いは12センチメートルであり、二つの透明板20には、夫々、上表面と下表面とがあり、二つの透明板20の上表面には、夫々、読み書き構成22が設置され、図４を参照しながら、当該読み書き構成22は、下から上へ、順に、反射層24と、下誘電体層26と、相変化記録層28と、上誘電体層30とが、含まれる。また、各当該読み書き構成22上には、夫々、傷や汚染によるデータ読み取りエラーになることを防止するための透明保護層32が設置される。
【００１４】
そして、本考案に係わる読み書き構成22においての各層の材料としては、相変化記録層28の材料が、ゲルマニウム(Ge)やインジウム(In)、アンチモン(Sb)、テルル(Te)或いはGeSbTeからなる材料が、使用され、上下誘電体層30、26の材料としては、ゲルマニウム化合物やSiN或いはZnS-SiO2等の、熱伝導係数が記録層より低い材料が、使用され、反射層24の材料としては、銀(Ag)や銀合金が、使用される。
【００１５】
二つの透明板20に、夫々に、順に読み書き構成22と透明保護層32が設置された後、二つの透明板の下表面を貼り合わせて、基材34を形成し、二つの読み書き構成22は、二つの透明板20の両外表面上に、位置し、そして、当該光記憶媒体の構成について、初期化をして、相変化記録層28を結晶化させ、これにより、光記憶媒体の作製が終了される。上記の実施例において、相変化式の光記憶媒体が、例として上げられ、また、この構成は、リードオンリー式の光記憶媒体上にも適用できる。
【００１６】
読み書き相変化光記憶媒体である場合、光源波長範囲が385nm乃至435nmであるレーザービームを光記憶媒体に照射して、相変化記録層28を、結晶相が非結晶相かの構成において、変換することにより、結晶相の高反射と非結晶相の低反射率とによる、0、1の信号を認識する。
【００１７】
光記憶媒体の構成をリードオンリー式の光記憶媒体上に応用する時、図６のように、二つの透明板20上に、夫々、リードオンリー記録層36が設置され、ディスクを作製する時、予めに、データを当該リードオンリー記録層36に書込むか、有機染料を記録層材料として、データが書込まれた後、削除されることができないか(即ち、追記型)のようにする。また、当該光記憶媒体の構成は、複合式の光記憶媒体上に応用でき、図７のように、二つの透明板20の両外表面上に、夫々、異なる形式な読み書き構成22が設置され、即ち、一つの透明板20上に、リードオンリー記録層36が含まれる読み書き構成22が設置され、もう一つの透明板20上に、相変化や有機染料記録層28である読み書き構成22が設置される。このように、本考案は、二つの読み書き構成22を、夫々、当該基材34の上、下表面上に設置することにより、光記憶媒体の容量を倍に増加する。また、二つの読み書き構成22が当該基材34の表面上に設置されるため、読み取りデバイスのレーザー源読み取る時、読み取りの距離が短縮されることにより、レーザー源に、波長が比較的に短い、開口数が比較的に大きい光源が使用され、光記憶媒体のデータ密度が増加される。
【００１８】
以上の実施例は、本考案のより良い実施例であり、本技術を良く分かる熟練者であれば、本考案の特徴や目的が分かり、そして、その内容に従って実施することができるが、本考案を実施する範囲を制限するものではない。本考案の精神に従って様々な等価な修正や変更をするものは、全てが、本考案の実用新案登録請求の範囲に含まれている。
【図面の簡単な説明】
【００１９】
【図１】従来の片面の２層構成の断面図
【図２】他の従来の両面の２層単層構成の断面図
【図３】本考案の実施例構成の分解図
【図４】本考案の実施例構成の断面図
【図５】本考案の局部拡大構成の断面図
【図６】本考案をリードオンリー式光記憶媒体に応用する時の構成の断面図
【図７】本考案を複合式光記憶媒体に応用する時の構成の断面図
【符号の説明】
【００２０】
10     基板
12     読み書き層
14     第１の基板
16     第２の基板
18     読み書き層
20     透明板
22     読み書き構成
24     反射層
26     下誘電体層
28     相変化記録層
30     上誘電体層
32     透明保護層
34     基材
36     リードオンリー記録層
【図１】
0003109849.tif 000003
【図２】
0003109849.tif 000004
【図３】
0003109849.tif 000005
【図４】
0003109849.tif 000006
【図５】
0003109849.tif 000007
【図６】
0003109849.tif 000008
【図７】
0003109849.tif 000009